(57)【要約】【課題】室内に消火ガスが噴射されて高圧が負荷された場合であっても確実に防火扉を開閉することを可能にした防火扉構造を提供する。【解決手段】第１の側端部１７と第２の側端部１８と防火扉１１の戸先となる第３の側端部２０を備えて、３つの側端部１７、１８、２０を仮想直線Ｓで結んだ形状が二等辺三角形を呈するように防火扉１１を形成する。また、第１側面１５ａと閉姿勢の状態で外部空間Ｒ２側を向く第２側面１６ａと室Ｒ１側を向く第３側面１６ｂとを備えて防火扉１１を形成する。そして、防火扉１１の第１の側端部１７及び／又は第２の側端部１８にヒンジ部１９を設け、このヒンジ部１９中心に防火扉１１を回動させて、室Ｒ１と外部空間Ｒ２を連通／区画するように構成する。【選択図】図２
2011156223.tif 000002
【特許請求の範囲】
【請求項１】
火災発生時に消火ガスが噴射される室と外部空間を連通／区画するように開閉可能に設けられた防火扉を備える防火扉構造であって、
前記外部空間に開口部を介して繋がり、前記室と前記外部空間を連通させるように開動した前記防火扉を前記開口部を通じて収容する扉収容空間を備えており、
前記防火扉は、前記室と前記外部空間を区画する閉姿勢の状態で、前記扉収容空間の開口部の一側部側に配される第１の側端部と、前記開口部の他側部側に配される第２の側端部と、前記防火扉の戸先となる第３の側端部の少なくとも３つの側端部を備えて、平面視で前記３つの側端部を仮想直線で結んだ形状が二等辺三角形を呈するように形成されるとともに、
前記閉姿勢の状態で、前記第１の側端部と前記第２の側端部を繋ぐように形成されて前記開口部を閉塞する第１側面と、前記第３の側端部と前記第１側面を繋ぐように形成されて前記外部空間側を向く戸面となる第２側面と、前記第３の側端部と前記第１側面を繋ぐように形成されて前記室側を向く戸面となる第３側面とを備えて形成され、
該防火扉の前記第１の側端部又は前記第２の側端部が回動軸線を上下方向に配して設けられたヒンジ部を介して前記開口部の一側部側又は他側部側に支持され、前記防火扉が前記回動軸線周りに回動し横方向に開動／閉動して前記室と前記外部空間を連通／区画するように構成されていることを特徴とする防火扉構造。
【請求項２】
請求項１記載の防火扉構造において、
前記防火扉が、前記第１の側端部と前記第２の側端部と前記第１側面を形成し、前記第１の側端部を前記ヒンジ部を介して前記開口部の一側部側に回動可能に繋げて配設された回動基板部と、一端を前記回動基板部に繋げ、前記回動基板部に交差する方向に突出し、他端が戸先の前記第３の側端部となる扉本体とを備えて、平面視で前記３つの側端部を仮想直線で結んだ形状が二等辺三角形を呈するように形成されていることを特徴とする防火扉構造。
【請求項３】
請求項２記載の防火扉構造において、
前記扉本体は、前記第３側面が、前記第１の側端部の前記ヒンジ部の回動軸線周りに前記防火扉を回動させた際の前記第２の側端部と前記第３の側端部の回動軌跡と同じ曲率の円弧状に形成されていることを特徴とする防火扉構造。
【請求項４】
請求項１記載の防火扉構造において、
前記防火扉は、平面視で前記３つの側端部を仮想直線で結んだ形状が正三角形を呈するように形成されるとともに、前記第１側面と前記第２側面と前記第３側面が、前記第１の側端部又は前記第２の側端部の前記ヒンジ部の回動軸線周りに前記防火扉を回動させた際の前記第１の側端部又は前記第２の側端部と前記第３の側端部の回動軌跡と同じ曲率の円弧状に形成されていることを特徴とする防火扉構造。
【請求項５】
請求項１から請求項４のいずれかに記載の防火扉構造において、
前記防火扉を回動可能に支持するガイドレール部材を備えており、
前記ガイドレール部材が、前記第１の側端部又は前記第２の側端部の前記ヒンジ部の回動軸線周りに前記防火扉を回動させた際の前記第１の側端部又は前記第２の側端部と前記第３の側端部の回動軌跡と同じ曲率の円弧状に形成されていることを特徴とする防火扉構造。
【発明の詳細な説明】
【技術分野】
【０００１】
本発明は、火災発生時に消火ガスが噴射される室と廊下等の外部空間を連通／区画するように開閉可能に設けられた防火扉を備える防火扉構造に関する。
【背景技術】
【０００２】
例えば、大型コンピュータやサーバ等の精密機器を設置した部屋や、半導体製造装置を設置したクリーンルームなどの室は、火災が発生した際に水や化学消火剤といった一般消火剤を使用すると、この一般消火剤によって機器類がダメージを受け、故障や誤作動が生じるおそれがある。そして、このように一般消火剤の使用に伴い機器類がダメージを受けることで、軽微な火災であっても大きな経済的損失を招くおそれがある。このため、従来、この種の室は、窒素ガス、二酸化炭素ガス、ハロゲンガス等の不活性ガスや不燃性ガス（消火ガス）を消火剤として用い、消火剤に起因して機器類がダメージを受けることを防止するようにしている。すなわち、この種の室には、ガス消火システムを適用するようにしている（例えば、特許文献１参照）。
【０００３】
また、このガス消火システムは、ノズル形状のガス噴射口を室内に設け、火災発生時にガス噴射口から高圧の消火ガスを高速で噴射させ、消火ガスを室内に短時間で充満させることによって、即時に消火できるように構成されている。
【先行技術文献】
【特許文献】
【０００４】
【特許文献１】特開２０００−６０９８４号公報
【発明の概要】
【発明が解決しようとする課題】
【０００５】
しかしながら、上記のように火災発生時に高圧の消火ガスが室内に噴射（噴出）されると、機器類を設置した室と廊下等の外部空間とを区画する防火扉には、高圧が瞬時に負荷される。このため、防火扉が変形するなどして開かなくなるおそれがあった。すなわち、例えば図６及び図７に示すように、防火扉１に高圧Ｐが負荷されることで、戸体２、３が湾曲変形し、ラッチ機構４に過大な力が作用して引っかかりが生じたり、蝶番５に変形が生じたり、順位調整器６に故障や引っかかりが生じたり、ドアチェック７に故障が生じたり、建具枠（戸枠）８に変形が生じるなどして、レバーハンドル（取手９）を操作しても防火扉１（戸体２、３）が開かなくなるおそれがあった。
【０００６】
そして、このように防火扉１が開かなくなると、避難経路が確保できなくなったり、二次消火活動に支障をきたすことになるため、室Ｒ１内に消火ガスが噴射されて高圧Ｐが負荷された場合であっても確実に防火扉１を開閉できるようにすることが強く求められていた。
【０００７】
本発明は、上記事情に鑑み、室内に消火ガスが噴射されて高圧が負荷された場合であっても確実に防火扉を開閉することを可能にした防火扉構造を提供することを目的とする。
【課題を解決するための手段】
【０００８】
上記の目的を達するために、この発明は以下の手段を提供している。
【０００９】
本発明の防火扉構造は、火災発生時に消火ガスが噴射される室と外部空間を連通／区画するように開閉可能に設けられた防火扉を備える防火扉構造であって、前記外部空間に開口部を介して繋がり、前記室と前記外部空間を連通させるように開動した前記防火扉を前記開口部を通じて収容する扉収容空間を備えており、前記防火扉は、前記室と前記外部空間を区画する閉姿勢の状態で、前記扉収容空間の開口部の一側部側に配される第１の側端部と、前記開口部の他側部側に配される第２の側端部と、前記防火扉の戸先となる第３の側端部の少なくとも３つの側端部を備えて、平面視で前記３つの側端部を仮想直線で結んだ形状が二等辺三角形を呈するように形成されるとともに、前記閉姿勢の状態で、前記第１の側端部と前記第２の側端部を繋ぐように形成されて前記開口部を閉塞する第１側面と、前記第３の側端部と前記第１側面を繋ぐように形成されて前記外部空間側を向く戸面となる第２側面と、前記第３の側端部と前記第１側面を繋ぐように形成されて前記室側を向く戸面となる第３側面とを備えて形成され、該防火扉の前記第１の側端部又は前記第２の側端部が回動軸線を上下方向に配して設けられたヒンジ部を介して前記開口部の一側部側又は他側部側に支持され、前記防火扉が前記回動軸線周りに回動し横方向に開動／閉動して前記室と前記外部空間を連通／区画するように構成されていることを特徴とする。
【００１０】
この発明においては、ヒンジ部を介して扉収容空間の開口部の一側部側又は他側部側に第１の側端部又は第２の側端部が支持された防火扉をヒンジ部の回動軸線周りに正逆回動することによって、扉収容空間に対して防火扉を出し入れすることができ、消火ガスが噴射される室と廊下等の外部空間を連通／区画するように防火扉を開閉させることできる。そして、防火扉が戸先となる第３の側端部から離れた位置のヒンジ部中心に回動するように（第１の側端部側又は第２の側端部側のヒンジ部の回動軸線周りに回動するように）構成されているため、第３の側端部側を小さな力で押し引きしてヒンジ部に大きな回転モーメントを作用させることができ、容易に且つ確実に防火扉を開閉することができる。
【００１１】
また、本発明の防火扉構造においては、前記防火扉が、前記第１の側端部と前記第２の側端部と前記第１側面を形成し、前記第１の側端部を前記ヒンジ部を介して前記開口部の一側部側に回動可能に繋げて配設された回動基板部と、一端を前記回動基板部に繋げ、前記回動基板部に交差する方向に突出し、他端が戸先の前記第３の側端部となる扉本体とを備えて、平面視で前記３つの側端部を仮想直線で結んだ形状が二等辺三角形を呈するように形成されていることが望ましい。
【００１２】
この発明においては、回動基板部と扉本体で防火扉が形成されていることにより、扉本体を小さな力で押し引きして容易に且つ確実に防火扉を開閉することが可能になる。
【００１３】
さらに、本発明の防火扉構造において、前記扉本体は、前記第３側面が、前記第１の側端部の前記ヒンジ部の回動軸線周りに前記防火扉を回動させた際の前記第２の側端部と前記第３の側端部の回動軌跡と同じ曲率の円弧状に形成されていることがより望ましい。
【００１４】
この発明においては、扉本体の第３側面が円弧状に形成されていることにより、室と外部空間を区画する閉姿勢の状態で、室側を向く戸面となるこの第３側面に高圧が負荷された場合であっても、小さな力で防火扉を開閉することが可能になる。また、このように第３側面が円弧状に形成されていることで、例えば錠を内蔵する戸先部分（第３の側端部）の剛性を高めることができ、ラッチ部分への圧力の影響を低減することが可能になる。さらに、第３側面が第２の側端部と第３の側端部の回動軌跡と同じ曲率の円弧状に形成されていることにより、第３側面側に人や物などの障害物があっても扉本体に障害物が挟まれることを防止して、防火扉を好適に開閉することが可能になる。
【００１５】
また、本発明の防火扉構造において、前記防火扉は、平面視で前記３つの側端部を仮想直線で結んだ形状が正三角形を呈するように形成されるとともに、前記第１側面と前記第２側面と前記第３側面が、前記第１の側端部又は前記第２の側端部の前記ヒンジ部の回動軸線周りに前記防火扉を回動させた際の前記第１の側端部又は前記第２の側端部と前記第３の側端部の回動軌跡と同じ曲率の円弧状に形成されていてもよい。
【００１６】
この発明においては、第１の側端部又は第２の側端部のヒンジ部の回動軸線周りに正逆回動して、消火ガスが噴射される室と廊下等の外部空間とを連通／区画するように防火扉を開閉させることできる。また、防火扉が戸先となる第３の側端部から離れた位置のヒンジ部中心に回動するように構成されているため、第３の側端部側を小さな力で押し引きしてヒンジ部に大きな回転モーメントを作用させることができ、容易に且つ確実に防火扉を開閉することができる。
【００１７】
さらに、３つの側端部を仮想直線で結んだ形状が正三角形を呈し、且つ第１側面と第２側面と第３側面をそれぞれ同じ曲率の円弧状にして防火扉が形成されているため、すなわち、防火扉がロータリー形状で形成されているため、第１の側端部と第２の側端部にぞれぞれヒンジ部を設け、これらヒンジ部のうち、どちらか一方のヒンジ部を中心に回動させて防火扉を開閉することが可能になる。これにより、室側と外部空間側でそれぞれ押し引きして両方向に防火扉を開閉することが可能になる。
【００１８】
また、第１側面と第２側面と第３側面がそれぞれ同じ曲率の円弧状に形成されているため、室と外部空間を区画する閉姿勢の状態で室側を向く戸面となる第３側面に高圧が負荷された場合であっても、小さな力で防火扉を開閉することが可能になる。さらに、例えば錠を内蔵する戸先部分（第３の側端部）の剛性を高めることができ、ラッチ部分への圧力の影響を低減することが可能になる。また、第３側面側に人や物などの障害物があっても扉本体に障害物が挟まれることを防止して、防火扉を好適に開閉することが可能になる。
【００１９】
さらに、本発明の防火扉構造においては、前記防火扉を回動可能に支持するガイドレール部材を備えており、前記ガイドレール部材が、前記第１の側端部又は前記第２の側端部の前記ヒンジ部の回動軸線周りに前記防火扉を回動させた際の前記第１の側端部又は前記第２の側端部と前記第３の側端部の回動軌跡と同じ曲率の円弧状に形成されていることが望ましい。
【００２０】
この発明においては、第１の側端部又は第２の側端部と第３の側端部の回動軌跡と同じ曲率の円弧状に形成したガイドレール部材で防火扉が支持されていることにより、高圧力時でもこのガイドレール部材で案内されて円滑に防火扉を開閉することが可能になる。
【発明の効果】
【００２１】
本発明の防火扉構造によれば、防火扉が戸先となる第３の側端部から離れた位置のヒンジ部中心に回動するように構成されているため、第３の側端部側を小さな力で押し引きしてヒンジ部に大きな回転モーメントを作用させることができ、容易に且つ確実に防火扉を開閉することができる。
【００２２】
これにより、戸先となる第３の側端部が扉収容空間の開口部に対向する外部空間の壁面に当接した閉姿勢の防火扉に、すなわち、機器類を設置した室と廊下等の外部空間を区画した状態の防火扉に、消火ガスの噴射に伴って高圧が負荷された場合であっても、小さな力で確実に防火扉を開くことができる。よって、従来のように消火ガスの噴射によって防火扉が開かなくなることを確実に防止でき、避難経路が確保できなくなったり、二次消火活動に支障をきたすことを防ぐことが可能になる。
【図面の簡単な説明】
【００２３】
【図１】本発明の第１実施形態に係る防火扉構造を示す斜視図である。
【図２】本発明の第１実施形態に係る防火扉構造を示す平面図である。
【図３】本発明の第１実施形態に係る防火扉構造の変形例を示す平面図である。
【図４】本発明の第２実施形態に係る防火扉構造を示す斜視図である。
【図５】本発明の第２実施形態に係る防火扉構造を示す平面図である。
【図６】従来の防火扉を示す正面図である。
【図７】従来の防火扉を示す平面図である。
【発明を実施するための形態】
【００２４】
以下、図１及び図２を参照し、本発明の第１実施形態に係る防火扉構造について説明する。
【００２５】
はじめに、本実施形態の防火扉構造Ａは、図１及び図２に示すように、大型コンピュータやサーバ等の精密機器を設置した部屋や、半導体製造装置を設置したクリーンルームなどの室Ｒ１と、この室Ｒ１の壁に開口形成された扉開口部１０を介して繋がる廊下等の外部空間Ｒ２とを連通／区画するように開閉可能に設置されている。また、室Ｒ１には、火災発生時に窒素ガス、二酸化炭素ガス、ハロゲンガス等の不活性ガスや不燃性ガス（消火ガス）を消火剤として高圧で噴射するガス消火システムが具備されている。
【００２６】
そして、本実施形態の防火扉構造Ａは、室Ｒ１と外部空間Ｒ２を連通／区画するように横方向に開動／閉動可能に設けられた防火扉１１と、防火扉１１を収容する扉収容空間１２と、防火扉１１を回動可能に支持するガイドレール部材１３、１４とを備えて構成されている。
【００２７】
扉収容空間１２は、外部空間Ｒ２側に設けられるとともに扉開口部１０を挟んで左右方向（横方向Ｔ１）の一方側に設けられている。また、この扉収容空間１２は、開口部１２ａを介して外部空間Ｒ２に繋がり、室Ｒ１と外部空間Ｒ２を連通させるように開動した防火扉１１を開口部１２ａを通じて収容するように設けられている。
【００２８】
また、本実施形態において、防火扉１１は、方形板状の回動基板部１５と、回動基板部１５（第１側面１５ａ）に一端を繋げ、回動基板部１５の一面（第１側面１５ａ）に略直交する方向（回動基板部１５に交差する方向）に突出した正面視方形状の扉本体１６とを備えて形成されている。
【００２９】
そして、この防火扉１１は、室Ｒ１と外部空間Ｒ２を区画する閉姿勢の状態で、回動基板部１５が扉収容空間１２の開口部１２ａを閉塞させるように（扉収容空間１２と外部空間Ｒ２を区画するように）設けられている。すなわち、防火扉１１は、室Ｒ１と外部空間Ｒ２を区画する閉姿勢の状態で、回動基板部１５の第１の側端部１７が扉収容空間１２の開口部１２ａの一側部側に配され、第２の側端部１８が開口部１２ａの他側部側に配され、この回動基板部１５の第１の側端部１７と第２の側端部１８を繋ぐように形成された回動基板部１５の側面（第１側面１５ａ）によって扉収容空間１２の開口部１２ａが閉塞するように設けられている。
【００３０】
さらに、防火扉１１は、扉開口部１０に対して外部空間Ｒ２の奥側に配された回動基板部１５の第１の側端部１７が、回動軸線を上下方向Ｔ２に配して設けられたヒンジ部１９を介して扉収容空間１２の開口部１２ａの一側部に繋げて支持されている。これにより、防火扉１１（回動基板部１５）は、ヒンジ部１９の回動軸線周りに（回動基板部１５の第１の側端部１７を中心に）回動する。
【００３１】
扉本体１６は、一端が回動基板部１５の第２の側端部１８側に繋がり、横方向Ｔ１外側に突出して一体形成されている。また、扉本体１６は、他端が防火扉１１の戸先となる第３の側端部２０とされている。そして、図２に示すように、防火扉１１は、回動基板部１５の第１の側端部１７と第２の側端部１８、扉本体１６の第３の側端部２０の３つの側端部１７、１８、２０を備えて、平面視で３つの側端部１７、１８、２０を仮想直線Ｓで結んだ形状が二等辺三角形を呈するように形成されている。すなわち、扉本体１６は、このように防火扉１１の３つの側端部１７、１８、２０を仮想直線Ｓで結んだ形状が二等辺三角形を呈するようにその位置及び長さが設定されている。なお、二等辺三角形には正三角形も含まれる。
【００３２】
また、このように扉本体１６が設けられていることにより、防火扉１１は、図１及び図２に示すように、室Ｒ１と外部空間Ｒ２を区画する閉姿勢の状態において、第１の側端部１７と第２の側端部１８を繋ぐように形成されて扉収容空間１２の開口部１２ａを閉塞する第１側面１５ａに加え、第３の側端部２０と第１側面１５ａを繋ぐように形成されて外部空間Ｒ２側を向く戸面となる第２側面１６ａと、第３の側端部２０と第１側面１５ａを繋ぐように形成されて室Ｒ１側を向く戸面となる第３側面１６ｂとを備えて形成されている。
【００３３】
さらに、本実施形態の扉本体１６は、第２側面１６ｂが回動基板部１５の第１側面１５ａに直交するように形成され、第３側面１６ｂが第２の側端部１８と第３の側端部２０を繋いで形成されている。また、この第３側面１６ｂは、第１の側端部１７のヒンジ部１９の回動軸線周りに防火扉１１を回動させた際の第２の側端部１８と第３の側端部２０の回動軌跡Ｍ１と同じ曲率の円弧状に形成されている。
【００３４】
一方、ガイドレール部材１３、１４は、ヒンジ部１９の回動軸線周りに防火扉１１を回動させた際の第２の側端部１８と第３の側端部２０の回動軌跡Ｍ１と同じ曲率の円弧状に形成されている。そして、本実施形態では、防火扉１１の上下にそれぞれガイドレール部材１３、１４が設けられており、これらガイドレール部材１３、１４が第２の側端部１８と第３の側端部２０の回動軌跡Ｍ１上に設けられて、防火扉１１の上端側と下端側を回動可能に支持している。
【００３５】
上記構成からなる本実施形態の防火扉構造Ａにおいては、防火扉１１をヒンジ部１９の回動軸線周りに正逆回動すると、この防火扉１１が扉収容空間１２に対して出し入れされる。そして、このように防火扉１１を正逆回動することにより、消火ガスが噴射される室Ｒ１と廊下等の外部空間Ｒ２とを連通／区画するように防火扉１１が横方向に開動／閉動する。
【００３６】
また、防火扉１１が戸先となる第３の側端部２０から離れた位置のヒンジ部１９中心に回動するように、すなわち、第１の側端部１７のヒンジ部１９の回動軸線周りに回動するように構成されているため、扉本体１６の第３の側端部２０側を小さな力で押し引きすると、ヒンジ部１９に大きな回転モーメントが作用する。これにより、小さな力で容易に且つ確実に防火扉１１の開閉が行える。
【００３７】
このため、戸先となる第３の側端部２０が扉収容空間１２の開口部１２ａに対向する外部空間Ｒ２の壁面に当接した閉姿勢の状態で、すなわち、機器類を設置した室Ｒ１と廊下等の外部空間Ｒ２を区画した状態で、防火扉１１に消火ガスの噴射に伴って高圧Ｐが負荷された場合であっても、小さな力で確実に防火扉１１が開く。
【００３８】
また、本実施形態では、扉本体１６の第３側面が円弧状に形成されていることにより、室Ｒ１と外部空間Ｒ２を区画する閉姿勢の状態で、室Ｒ１内に高圧の消火ガスが噴射され、第３側面１６ｂに高圧Ｐが負荷された場合であっても、小さな力で防火扉１１の開閉が行える。また、第３側面１６ｂが円弧状に形成されていることで、例えば錠を内蔵する戸先部分（第３の側端部２０）の剛性が高められ、この第３の側端部２０に内蔵して設けたラッチ機構４への圧力の影響が低減する。これにより、高圧Ｐが負荷されることによるラッチ部分の変形が抑制され、この点からも防火扉１１が容易に且つ確実に小さな力で開くことになる。
【００３９】
さらに、第３側面１６ｂが第２の側端部１８と第３の側端部２０の回動軌跡Ｍ１と同じ曲率の円弧状に形成されていることにより、第３側面１６ｂ側に人や物などの障害物があっても扉本体１６に障害物が挟まれることが防止され、防火扉１１が好適に開動／閉動する。
【００４０】
また、本実施形態では、第２の側端部１８と第３の側端部２０の回動軌跡Ｍ１と同じ曲率の円弧状に形成したガイドレール部材１３、１４で防火扉１１が支持されているため、防火扉１１がガイドレール部材１３、１４に案内されて開動／閉動する。このため、高圧力時でもこれらガイドレール部材１３、１４で案内されて円滑に防火扉１１の開閉が行える。
【００４１】
したがって、本実施形態の防火扉構造Ａにおいては、ヒンジ部１９を介して扉収容空間１２の開口部１２ａの一側部側に第１の側端部１７が支持された防火扉１１を、ヒンジ部１９の回動軸線周りに正逆回動することにより、扉収容空間１２に対して防火扉１１を出し入れすることができ、消火ガスが噴射される室Ｒ１と廊下等の外部空間Ｒ２を連通／区画するように防火扉１１を開動／閉動させることできる。そして、防火扉１１が戸先となる第３の側端部２０から離れた位置のヒンジ部１９中心に回動するように構成されているため、第３の側端部２０側を小さな力で押し引きしてヒンジ部１９に大きな回転モーメントを作用させることができ、容易に且つ確実に防火扉１１を開閉することができる。
【００４２】
これにより、機器類を設置した室Ｒ１と廊下等の外部空間Ｒ２を区画した状態の防火扉１１に、消火ガスの噴射に伴って高圧Ｐが負荷された場合であっても、小さな力で確実に防火扉１１を開くことができる。よって、従来のように消火ガスの噴射によって防火扉１１が開かなくなることを確実に防止でき、避難経路が確保できなくなったり、二次消火活動に支障をきたすことを防ぐことが可能になる。
【００４３】
また、回動基板部１５と扉本体１６で防火扉１１が形成されていることで、扉本体１６を小さな力で押し引きして容易に且つ確実に防火扉１１を開閉することが可能になる。
【００４４】
さらに、扉本体１６の第３側面１６ｂが円弧状に形成されていることにより、室Ｒ１と外部空間Ｒ２を区画する閉姿勢の状態で、室Ｒ１側を向く戸面となるこの第３側面１６ｂに高圧Ｐが負荷された場合であっても、小さな力で防火扉１１を開閉することが可能になる。また、このように第３側面１６ｂが円弧状に形成されていることで、例えば錠を内蔵する戸先部分（第３の側端部２０）の剛性を高めることができ、ラッチ部分への圧力の影響を低減することが可能になる。さらに、第３側面１６ｂ側に人や物などの障害物があっても扉本体１６に障害物が挟まれることを防止して、防火扉１１を好適に開閉することが可能になる。
【００４５】
また、第２の側端部１８と第３の側端部２０の回動軌跡Ｍ１と同じ曲率の円弧状に形成したガイドレール部材１３、１４で防火扉１１が支持されていることにより、高圧力時でもこのガイドレール部材１３、１４で案内されて円滑に防火扉１１を開閉することが可能になる。
【００４６】
以上、本発明に係る防火扉構造の第１実施形態について説明したが、本発明は上記の第１実施形態に限定されるものではなく、その趣旨を逸脱しない範囲で適宜変更可能である。例えば、本実施形態では、防火扉１１が回動基板部１５と扉本体１６を備えて形成され、扉本体１６の室Ｒ１側を向く第３側面１６ｂが円弧状に形成されているものとして説明を行った。これに対し、本発明に係る防火扉は、第１の側端部１７と第２の側端部１８と第３の側端部２０を仮想直線Ｓで結んだ形状が二等辺三角形を呈するように形成されていればよく、例えば図３に示すように、第３側面１６ｂを平面状にして防火扉１１を形成してもよい。この場合には、本実施形態と比較し、高圧力時にラッチ部分への圧力の影響が大きくなり、防火扉１１の開動時に圧力による負荷が大きくなるが、従来と比較すると、やはり小さな力で容易に且つ確実に防火扉１１を開閉することが可能である。
【００４７】
次に、図４及び図５を参照し、本発明の第２実施形態に係る防火扉構造について説明する。なお、第１実施形態と同様の構成に対しては、同一符号を付しその詳細な説明を省略する。
【００４８】
本実施形態の防火扉構造Ｂは、第１実施形態と同様、図４及び図５に示すように、機器類が設置され、火災発生時に高圧の消火ガスが噴射される室Ｒ１と廊下等の外部空間Ｒ２を連通／区画するように開閉可能に設けられた防火扉２１と、防火扉２１を収容する扉収容空間１２と、防火扉２１を回動可能に支持するガイドレール部材１３、１４、２２、２３とを備えて構成されている。
【００４９】
本実施形態の防火扉２１は、平面視で第１の側端部１７と第２の側端部１８と第３の側端部２０の３つの側端部１７、１８、２０を仮想直線Ｓで結んだ形状が正三角形を呈するように形成されている。そして、この防火扉２１は、室Ｒ１と外部空間Ｒ２を区画する閉姿勢の状態で、第１の側端部１７が扉収容空間１２の開口部１２ａの一側部側に配され、第２の側端部１８が開口部１２ａの他側部側に配され、第１の側端部１７と第２の側端部１８を繋ぐように形成された第１側面２１ａによって扉収容空間１２の開口部１２ａを閉塞するように設けられている。
【００５０】
また、この防火扉２１は、第１の側端部１７と第２の側端部１８を繋ぐように形成された第１側面２１ａと、第１の側端部１７と第３の側端部２０を繋ぐように形成された第２側面２１ｂと、第２の側端部１８と第３の側端部２０を繋ぐように形成された第３側面２１ｃがそれぞれ円弧状に形成されている。
【００５１】
さらに、第１の側端部１７と第２の側端部１８にはそれぞれ、ヒンジ部１９、２４が設けられている。そして、第１側面２１ａ、第２側面２１ｂ、第３側面２１ｃは、第１の側端部１７のヒンジ部１９又は第２の側端部１８のヒンジ部２４の回動軸線周りに防火扉２１を回動させた際の第１の側端部１７又は第２の側端部１８と第３の側端部２０の回動軌跡Ｍ１、Ｍ２と同じ曲率の円弧状に形成されている。すなわち、本実施形態の防火扉２１は、正三角形の各頂点（各側端部１７、１８、２０）を中心とし、他の２つの頂点を端点とする円弧状の側面２１ａ、２１ｂ、２１ｃを３つ組み合わせたロータリー形状で形成されている。
【００５２】
また、防火扉２１は、第１の側端部１７のヒンジ部１９と第２の側端部１８のヒンジ部２４がそれぞれ、円弧状のガイドレール部材１３、１４、２２、２３に係合して支持されている。すなわち、第１の側端部１７のヒンジ部１９の回動軸線周りに防火扉２１を回動させた際の第２の側端部１８と第３の側端部２０の回動軌跡Ｍ１と同じ曲率の円弧状に形成されたガイドレール部材１３、１４によって、第２の側端部１８のヒンジ部２４がこのガイドレール部材１３、１４に沿って動くように支持されている。また、第２の側端部１８のヒンジ部２４の回動軸線周りに防火扉２１を回動させた際の第１の側端部１７と第３の側端部２０の回動軌跡Ｍ２と同じ曲率の円弧状に形成されたガイドレール部材２２、２３によって、第１の側端部１７のヒンジ部１９がこのガイドレール部材２２、２３に沿って動くように支持されている。
【００５３】
そして、本実施形態の防火扉２１は、室Ｒ１と外部空間Ｒ２を区画する閉姿勢の状態で、戸先となる第３の側端部２０側を室内Ｒ１側から押すと（外部空間Ｒ２側に引っ張ると）、第１の側端部１７のヒンジ部１９が扉収容空間１２の開口部１２ａの一側部位置から、第２の側端部１８のヒンジ部２４の回動軸線周りに回動する。また、第３の側端部２０側を室内Ｒ１側に引っ張ると（外部空間Ｒ２側に押すと）、第２の側端部１８のヒンジ部２４が扉収容空間１２の開口部１２ａの他側部位置から、第１の側端部１７のヒンジ部１９の回動軸線周りに回動する。すなわち、本実施形態の防火扉２１は、第１の側端部１７のヒンジ部１９と第２の側端部１８のヒンジ部２４のどちらか一方のヒンジ部１９、２４を中心に開動／閉動する。
【００５４】
また、室Ｒ１と外部空間Ｒ２を区画する閉姿勢の状態から、第３の側端部２０側を押し引きして第１の側端部１７のヒンジ部１９又は第２の側端部１８のヒンジ部２４を中心に回動させると、防火扉２１が扉収容空間１２内に収容される。このように防火扉２１が扉収容空間１２内に収容された状態、すなわち、防火扉２１が室Ｒ１と外部空間Ｒ２を連通する開姿勢になった状態では、第３の側端部２０が扉収容空間１２の開口部１２ａの一側部側又は他側部側に配されることになる。
【００５５】
そして、このとき、防火扉２１が戸先となる第３の側端部２０から離れた位置のヒンジ部１９、２４中心に回動するように、すなわち、第１の側端部１７又は第２の側端部１８のヒンジ部１９、２４の回動軸線周りに回動するように構成されているため、防火扉２１の第３の側端部２０側を小さな力で押し引きすると、第１の側端部１７又は第２の側端部１８のいずれか一方のヒンジ部１９、２４に大きな回転モーメントが作用する。これにより、小さな力で容易に且つ確実に防火扉２１の開閉が行える。
【００５６】
このため、戸先となる第３の側端部２０が扉収容空間１２の開口部１２ａに対向する外部空間Ｒ２の壁面に当接した閉姿勢の状態で、すなわち、機器類を設置した室Ｒ１と廊下等の外部空間Ｒ２を区画した状態で、防火扉２１に消火ガスの噴射に伴って高圧Ｐが負荷された場合であっても、小さな力で確実に防火扉２１が開く。
【００５７】
また、第１側面２１ａ、第２側面２１ｂ、第３側面２１ｃが円弧状に形成されていることにより、室Ｒ１と外部空間Ｒ２を区画する閉姿勢の状態で、第３側面２１ｃに高圧Ｐが負荷された場合であっても、小さな力で防火扉２１の開閉が行える。さらに、第３側面２１ｃが円弧状に形成されていることで、例えば錠を内蔵する戸先部分（第３の側端部２０）の剛性が高められ、ラッチ部分への圧力の影響が低減する。これにより、高圧Ｐが負荷されることによるラッチ部分の変形が抑制され、この点からも防火扉２１が容易に且つ確実に小さな力で開くことになる。
【００５８】
さらに、第３側面２１ｃが第１の側端部１７又は第２の側端部１８と第３の側端部２０の回動軌跡Ｍ１、Ｍ２と同じ曲率の円弧状に形成されていることにより、第２側面２１ｂ側や第３側面２１ｃ側に人や物などの障害物があっても障害物が挟まれることが防止され、防火扉２１が好適に開動／閉動する。
【００５９】
また、第１の側端部１７のヒンジ部１９と第２の側端部１８のヒンジ部２４の吊元２点のヒンジ部１９、２４がそれぞれ、円弧状のガイドレール部材１３、１４、２２、２３で支持されているため、各ヒンジ部１９、２４が各ガイドレール部材１３、１４、２２、２３上を自由に動き、確実に小さな力で一方のヒンジ部１９、２４中心に防火扉２１が開動／閉動することになる。
【００６０】
したがって、本実施形態の防火扉構造Ｂにおいても、第１実施形態と同様に、防火扉２１が戸先となる第３の側端部２０から離れた位置のヒンジ部１９、２４中心に回動するように構成されているため、第３の側端部２０側を小さな力で押し引きしてヒンジ部１９、２４に大きな回転モーメントを作用させることができ、容易に且つ確実に防火扉２１を開閉することができる。
【００６１】
これにより、戸先となる第３の側端部２０が扉収容空間１２の開口部１２ａに対向する外部空間Ｒ２の壁面に当接した閉姿勢の防火扉２１に、消火ガスの噴射に伴って高圧Ｐが負荷された場合であっても、小さな力で確実に防火扉２１を開くことができる。よって、従来のように消火ガスの噴射によって防火扉２１が開かなくなることを確実に防止でき、避難経路が確保できなくなったり、二次消火活動に支障をきたすことを防ぐことが可能になる。
【００６２】
また、３つの側端部１７、１８、２０を仮想直線Ｓで結んだ形状が正三角形を呈し、且つ第１側面２１ａと第２側面２１ｂと第３側面２１ｃをそれぞれ同じ曲率の円弧状にして防火扉２１が形成されているため、すなわち、防火扉２１がロータリー形状で形成されているため、第１の側端部１７と第２の側端部１８のヒンジ部１９、２４のどちらか一方のヒンジ部１９、２４を中心に回動させて防火扉２１を開閉することが可能になる。これにより、室Ｒ１側と外部空間Ｒ２側でそれぞれ押し引きして両方向に防火扉２１を開閉することが可能になる。
【００６３】
また、第１側面と第２側面と第３側面がそれぞれ同じ曲率の円弧状に形成されているため、室と外部空間を区画する閉姿勢において室側を向く戸面となる第３側面に高圧が負荷された状態であっても、小さな力で防火扉を開閉することが可能になる。さらに、例えば錠を内蔵する戸先部分（第３の側端部）の剛性を高めることができ、ラッチ部分への圧力の影響を低減することが可能になる。また、第３側面側に人や物などの障害物があっても扉本体に障害物が挟まれることを防止して、防火扉を好適に開閉することが可能になる。
【００６４】
さらに、第１の側端部１７又は第２の側端部１８と第３の側端部２０の回動軌跡Ｍ１、Ｍ２と同じ曲率の円弧状に形成したガイドレール部材１３、１４、２２、２３で防火扉２１が案内されるため、高圧力時でもこのガイドレール部材１３、１４、２２、２３に沿って円滑に防火扉２１を開閉することが可能になる。
【００６５】
以上、本発明に係る防火扉構造の第２実施形態について説明したが、本発明は上記の第２実施形態に限定されるものではなく、第１実施形態の変更例を含め、その趣旨を逸脱しない範囲で適宜変更可能である。
【００６６】
例えば、本実施形態の防火扉Ｂの構成を採用すると、閉姿勢の状態の防火扉２１の第３の側端部２０側を押し引きし、第２の側端部１８のヒンジ部２４を中心に回動すると、防火扉２１が扉収容空間１２に収容される。そして、この後、開姿勢の状態の防火扉２１を開口部１２ａの一側部側に配された第３の側端部２０（第１の側端部１７となった第３の側端部２０）を中心に回動して防火扉２１を扉収容空間１２から引き出すと、第２の側端部１８が第３の側端部２０となって、扉収容空間１２の開口部１２ａに対向する壁に当接し、室Ｒ１と外部空間Ｒ２が区画される。これにより、第１の側端部１７と第２の側端部１８と第３の側端部２０にそれぞれヒンジ部を設けておくことで、防火扉２１を回転させながら開動／閉動を繰り返すことが可能になり、回動方向を規制する必要なく、好適に室Ｒ１と外部空間Ｒ２を連通／区画するように開動／閉動させて防火扉２１を使用することが可能になる。
【符号の説明】
【００６７】
１      従来の防火扉
２      戸体
３      戸体
４      ラッチ機構
５      蝶番
６      順位調整器
７      ドアチェック
８      戸枠
９      レバーハンドル（取手）
１０    扉開口部
１１    防火扉
１２    扉収容空間
１２ａ  開口部
１３    ガイドレール部材
１４    ガイドレール部材
１５    回動基板部
１５ａ  第１側面
１６    扉本体
１６ａ  第２側面
１６ｂ  第３側面
１７    第１の側端部
１８    第２の側端部
１９    ヒンジ部
２０    第３の側端部
２１    防火扉
２１ａ  第１側面
２１ｂ  第２側面
２１ｃ  第３側面
２２    ガイドレール部材
２３    ガイドレール部材
２４    ヒンジ部
Ａ      防火扉構造
Ｂ      防火扉構造
Ｍ１    回動軌跡
Ｍ２    回動軌跡
Ｐ      高圧
Ｒ１    室
Ｒ２    外部空間
Ｓ      仮想直線
Ｔ１    上下方向
Ｔ２    横方向（左右方向）
【図１】
2011156223.tif 000003
【図２】
2011156223.tif 000004
【図３】
2011156223.tif 000005
【図４】
2011156223.tif 000006
【図５】
2011156223.tif 000007
【図６】
2011156223.tif 000008
【図７】
2011156223.tif 000009